(57)【要約】【課題】一枚の板状に展開することができ、非常に嵩低くすることができ、また嵩低い状態から簡単に使用状態に組み立てることができ、さらに汚れを簡単に落とすことができ、しかも立てかけておく角度を自由に変えることができる携帯端末用スタンドを提供する。【解決手段】基板１の中央に二本の第一切り目２を入れ、これら第一切り目２の基端部間を結ぶ第一折り目３を形成して携帯端末用支持板４を設けると共に、この携帯端末用支持板４の後半部中央に二本の第二切り目５を入れ、これら第二切り目５の基端部から相互に遠ざかる方向に前記携帯端末用支持板４の外縁まで同一直線状とした第二折り目６を形成して角度調節用支持板８を設け、前記基板１の前端に載置部９を設けると共に、基板１の後端寄りに複数段の係止部１０を設け、さらに前記角度調節用支持板８の後端に係止体１１を設けたものとしている。【選択図】図１
2014068312.tif 000002
【特許請求の範囲】
【請求項１】
基板（１）の中央に二本の第一切り目（２）を入れ、これら第一切り目（２）の基端部間を結ぶ第一折り目（３）を形成して携帯端末用支持板（４）を設けると共に、この携帯端末用支持板（４）の後半部中央に二本の第二切り目（５）を入れ、これら第二切り目（５）の基端部から相互に遠ざかる方向に前記携帯端末用支持板（４）の外縁まで同一直線状とした第二折り目（６）を形成して角度調節用支持板（８）を設け、前記基板（１）の前端に載置部（９）を設けると共に、基板（１）の後端寄りに複数段の係止部（１０）を設け、さらに前記角度調節用支持板（８）の後端に係止体（１１）を設けたものとし、
前記携帯端末用支持板（４）を第一折り目（３）より折り曲げて、基板（１）から斜めに起こせるようにし、前記角度調節用支持板（８）を第二折り目（６）より折り曲げて、基板（１）に斜めに倒せるようにし、さらに前記角度調節用支持板（８）の係止体（１１）を前記基板（１）の複数段の係止部（１０）の何れかに係止できるようにしたことを特徴とする携帯端末用スタンド。
【請求項２】
前記基板（１）を、略矩形状の可撓性の合成樹脂板からなるものとしたことを特徴とする請求項１記載の携帯端末用スタンド。
【請求項３】
前記二本の第一切り目（２）を平行な状態に入れると共に、前記二本の第二切り目（５）を平行な状態に入れたことを特徴とする請求項１記載の携帯端末用スタンド。
【請求項４】
前記携帯端末用支持板（４）を、基板（１）の後方に食み出して設けたことを特徴とする請求項１記載の携帯端末用スタンド。
【請求項５】
前記携帯端末用支持板（４）を、基板（１）内に設けたことを特徴とする請求項１記載の携帯端末用スタンド。
【発明の詳細な説明】
【技術分野】
【０００１】
この発明は、携帯電話、タブレット型パソコン、オーディオプレーヤー等の携帯端末を携帯しないときに立てかけておくための携帯端末用スタンドに関するものである。
【背景技術】
【０００２】
従来、この種の携帯端末用スタンドとしては、各種のものが案出されており、例えば、断面三角形状に折曲形成される折り畳み自在な紙製のスタンド部を備えたもの（特許文献１）や、厚紙ないしは段ボールから作製され、折り曲げたり折り畳んだりして、後傾正面板と背板と左右両側板とを形成したもの（特許文献２）が存在する。
【０００３】
さらに、従来の携帯端末用スタンドとしては、合成樹脂材で作製され、携帯端末の表示面を所定の角度に支持する支持部を備えたもの（特許文献３）や、携帯端末を一定の傾斜角で支持する第１傾斜部と、携帯端末を前記一定の傾斜角とは異なる傾斜角で支持する第２傾斜部を、合成樹脂の一体成形で形成したもの（特許文献４）が存在する。
【０００４】
また、従来の携帯端末用スタンドとしては、合成樹脂板で作製され、携帯端末の側面の一部を載せる第１支持板状部材と、この第１支持板状部材に連結され、携帯端末の背面の一部を支える第２支持板状部材と、この第２支持板状部材に連結され、当該第２支持板状部材を支える第３支持板状部材とを備えたもの（特許文献５）や、合成樹脂板で作製され、底板部の前縁に前側支承壁板部を、約９０度折曲自在に連結し、底板部の後縁に後側支承壁板部を約９０度折曲自在に連結し、底板部と前側支承壁板部が伸展し、後側支承壁板部と２枚合せに折畳み自在にしたもの（特許文献６）が存在する。
【０００５】
さらにまた、従来の携帯端末用スタンドとしては、合成樹脂の型抜きシート材からなり、携帯端末を機体軸方向に挿入して支持するための筒状支持部と、この筒状支持部を接地面に対して所望の角度で起立させて保持するための接地脚部とを備えたもの（特許文献７）が存在する。
【先行技術文献】
【特許文献】
【０００６】
【特許文献１】実用新案登録第３０８４１７９号公報
【特許文献２】実用新案登録第３０９７１３１号公報
【特許文献３】実用新案登録第３１４１８９７号公報
【特許文献４】実用新案登録第３１５３０５２号公報
【特許文献５】実用新案登録第３１６２８３４号公報
【特許文献６】特開２００２−９９１７号公報
【特許文献７】特開２００４−３２８６７２号公報
【発明の概要】
【発明が解決しようとする課題】
【０００７】
しかしながら、特許文献１に示された紙製のスタンド部を備えた携帯端末用スタンドでは、運搬したり、保管したりする場合には、簡単に折り畳んでおけるが、折り畳んでも、折り畳んだ部分が重なり合ってそれほど嵩が低くならないという課題や、長期間使用した結果、塵や埃等をかぶって汚れた場合にも、紙製であるため、その汚れを拭き取ったりして簡単に落とすことができないという課題を有し、さらに一定の角度でしか立てかけておくことができず、立てかけておく角度を自由に変えることができないため、使用勝手が悪かったり、立てかけた携帯端末の安定が悪くなったりするという課題を有していた。
【０００８】
そして、特許文献２に示された厚紙ないしは段ボールから作製された携帯端末用スタンドでは、何回も折り曲げたり折り畳んだりして組み立てなければならず、組立て作業が非常に面倒であるという課題や、組み立てたものを分解すると嵩が低くなるが、再度組み立てるのが面倒であるため、実質的に分解できず、嵩が高いという課題を有し、さらに汚れを簡単に落とすことができなかったり、立てかけておく角度を自由に変えることができないという課題を有していた。
【０００９】
さらに、特許文献３に示された合成樹脂材で作製された携帯端末用スタンドでは、折り曲げたり折り畳んでおくことができないので嵩が高いという課題や、立てかけておく角度を自由に変えることができないという課題を有してした。
【００１０】
また、特許文献４に示された合成樹脂の一体成形で形成された携帯端末用スタンドでは、立てかけておく角度を二段階に調節することができるが、折り曲げたり折り畳んでおくことができないので嵩が高いという課題を有していた。
【００１１】
次に、特許文献５、６に示された合成樹脂板で作製された携帯端末用スタンドでは、簡単に折り畳んでおけるが、折り畳んでも、折り畳んだ部分が重なり合ってそれほど嵩が低くならないという課題や、立てかけておく角度を自由に変えることができないという課題も有していた。
【００１２】
さらにまた、特許文献７に示された合成樹脂の型抜きシート材からなる携帯端末用スタンドでは、立てかけておく角度を二段階に調節することができるが、組立て作業が非常に面倒であるという課題や、組み立てたものを分解できるものとはしておらず、組み立てたままなので嵩を低くすることができないという課題を有していた。
【００１３】
そこで、この発明は、上記従来の課題を解決するものであり、一枚の板状に展開することができ、非常に嵩低くすることができ、また嵩低い状態から簡単に使用状態に組み立てることができ、さらに汚れを簡単に落とすことができ、しかも立てかけておく角度を自由に変えることができる携帯端末用スタンドを提供することを目的としてなされたものである。
【課題を解決するための手段】
【００１４】
そのため、この発明の携帯端末用スタンドは、基板１の中央に二本の第一切り目２を入れ、これら第一切り目２の基端部間を結ぶ第一折り目３を形成して携帯端末用支持板４を設けると共に、この携帯端末用支持板４の後半部中央に二本の第二切り目５を入れ、これら第二切り目５の基端部から相互に遠ざかる方向に前記携帯端末用支持板４の外縁まで同一直線状とした第二折り目６を形成して角度調節用支持板８を設け、前記基板１の前端に載置部９を設けると共に、基板１の後端寄りに複数段の係止部１０を設け、さらに前記角度調節用支持板８の後端に係止体１１を設けたものとしている。
【００１５】
そして、この発明の携帯端末用スタンドは、前記携帯端末用支持板４を第一折り目３より折り曲げて、基板１から斜めに起こせるようにし、前記角度調節用支持板８を第二折り目６より折り曲げて、基板１に斜めに倒せるようにし、さらに前記角度調節用支持板８の係止体１１を前記基板１の複数段の係止部１０の何れかに係止できるようにしたものとしている。
【００１６】
さらに、この発明の携帯端末用スタンドは、前記基板１を、略矩形状の可撓性の合成樹脂板からなるものとし、前記二本の第一切り目２を平行な状態に入れると共に、前記二本の第二切り目５を平行な状態に入れたものとし、前記携帯端末用支持板４を、基板１の後方に食み出して設けたものとしたり、前記携帯端末用支持板４を、基板１内に設けたものとしている。
【発明の効果】
【００１７】
この発明の携帯端末用スタンドは、以上に述べたように構成されており、一枚の板状に展開することができ、非常に嵩低くすることができ、また嵩低い状態から簡単に使用状態に組み立てることができ、さらに汚れを簡単に落とすことができ、しかも立てかけておく角度を自由に変えることができるものになり、運搬したり、保管したりする場合に非常に便利なものとなると共に、使い勝手も非常によいものとなった。
【図面の簡単な説明】
【００１８】
【図１】この発明の携帯端末用スタンドの一実施形態を示す平面図である。
【図２】図１に示すこの発明の携帯端末用スタンドの側面図である。
【図３】図１に示すこの発明の携帯端末用スタンドを使用する状態にした斜視図である。
【図４】図３に示すこの発明の携帯端末用スタンドの側面図である。
【図５】図３に示すこの発明の携帯端末用スタンドに、携帯電話等の携帯端末を立てかけた状態を示す斜視図である。
【図６】この発明の携帯端末用スタンドの他の実施形態を示す平面図である。
【図７】図６に示すこの発明の携帯端末用スタンドの側面図である。
【図８】図６に示すこの発明の携帯端末用スタンドを使用する状態にした斜視図である。
【図９】図８に示すこの発明の携帯端末用スタンドの側面図である。
【図１０】図８に示すこの発明の携帯端末用スタンドに、タブレット型パソコン等の携帯端末を立てかけた状態を示す斜視図である。
【発明を実施するための形態】
【００１９】
以下、この発明の携帯端末用スタンドを実施するための形態を、図面に基づいて詳細に説明する。
【００２０】
この発明の携帯端末用スタンドは、図示したように、略矩形状の可撓性の合成樹脂板からなる基板１の中央に二本の平行な第一切り目２を縦方向に入れ、これら第一切り目２の基端部間を結ぶ第一折り目３を形成して略矩形状の携帯端末用支持板４を設けている。第一折り目３は、その部分の合成樹脂板の肉厚を薄くして、折り曲げることができるようにしている。
【００２１】
さらに、この発明の携帯端末用スタンドは、前記携帯端末用支持板４の後半部中央に二本の平行な第二切り目５を縦方向に入れ、これら第二切り目５の基端部から相互に遠ざかる方向に前記携帯端末用支持板４の外縁まで同一直線状とした第二折り目６を形成し、前記第二切り目５の終端部間を結ぶ第三切り目７を形成して角度調節用支持板８を設けたものとしている。
【００２２】
また、この発明の携帯端末用スタンドは、前記基板１の前端に載置部９を設けると共に、前記基板１の後端寄りの両端部に複数段の係止部１０を設け、さらに前記角度調節用支持板８の後端の両端部に係止体１１を設けたものとしている。載置部９は、携帯端末を安定した状態で載置しておけるように、当板９ａを設けると共に滑り止め用の複数の突状９ｂを設けたものとしており、係止体１１は、例えば棒状体としており、係止部１０は、この棒状体を例えば上面、外側面、背面から包囲して係止することができるようにしている。
【００２３】
さらに、この発明の携帯端末用スタンドは、前記携帯端末用支持板４を第一折り目３より折り曲げて、基板１から斜めに起こせるようにし、前記角度調節用支持板８を第二折り目６より折り曲げて、基板１に斜めに倒せるようにしている。そして、前記角度調節用支持板８の係止体１１を前記基板１に設けた複数段の係止部１０の何れかに係止できるようにしたものとしている。
【００２４】
なお、この発明の携帯端末用スタンドは、図１〜５に示したように、前記携帯端末用支持板４を、基板１の後方に食み出して設けたものとしたり、図６〜１０に示したように、前記携帯端末用支持板４を、基板１内に食み出すことなく設けたものとしている。その結果、図１〜５に示した携帯端末用スタンドは、基板１が略コ字状になっており、図６〜１０に示した携帯端末用スタンドは、基板１が枠状になっている。そのため、図６〜１０に示した携帯端末用スタンドは、図１〜５に示した携帯端末用スタンドより丈夫なものとなり、タブレット型パソコンのようなディスプレイが大きく、重量の大きい携帯端末を立てかけておくのに適したものとなる。
【００２５】
以上に述べたように構成されたこの発明の携帯端末用スタンドは、次のようにして使用することができる。
【００２６】
先ず、この発明の携帯端末用スタンドは、図１および図６に示したような状態から、携帯端末用支持板４を第一折り目３より折り曲げて、基板１から斜めに起こし、前記角度調節用支持板８を第二折り目６より折り曲げて、基板１に斜めに倒し、前記角度調節用支持板８の係止体１１を前記基板１の複数段の係止部１０の何れかに係止すれば、図３、図４および図８、９に示した状態となる。
【００２７】
そこで、携帯電話やタブレット型パソコン等の携帯端末の背面部を、この発明の携帯端末用スタンドの携帯端末用支持板４に支持させ、その携帯端末の下端部を、この発明の携帯端末用スタンドの載置部９に載せれば、図５および図１０に示したように、前記携帯端末を安定した状態で立てかけておくことができる。
【００２８】
そして、この発明の携帯端末用スタンドは、前記携帯端末の立てかけておく角度を変えるには、前記角度調節用支持板８の係止体１１を、前記基板１の前段または後段の係止部１０に係止し直せばよいので、携帯端末の立てかけておく角度を簡単に変えることができる。
【００２９】
また、この発明の携帯端末用スタンドは、使用しないときには、前記角度調節用支持板８の係止体１１を、前記基板１の係止部１０から外して、この携帯端末用支持板４を基板１側に押さえつければ、図１および図６に示したように、一枚の板状に展開された状態となり、非常に嵩低くなるので、持ち運びし易いものとなり、保管しておくのにも場所をとらないものとなる。
【００３０】
さらに、この発明の携帯端末用スタンドは、合成樹脂からなるので、長期間使用した結果、塵や埃等をかぶって汚れた場合にも、その汚れを拭き取ったりして簡単に落とすことができる。特に、この発明の携帯端末用スタンドでは、図１および図６に示したような一枚の板状に展開された状態にすれば、汚れが非常に拭き取り易いものとなり、汚れをより簡単に落とすことができる。
【００３１】
よって、この発明の携帯端末用スタンドは、一枚の板状に展開することができ、非常に嵩低くすることができ、また嵩低い状態から簡単に使用状態に組み立てることができ、さらに汚れを簡単に落とすことができ、しかも立てかけておく角度を自由に変えることができるものになった。
【符号の説明】
【００３２】
１  基板
２  第一切り目
３  第一折り目
４  携帯端末用支持板
５  第二切り目
６  第二折り目
８  角度調節用支持板
９  載置部
１０  係止部
１１  係止体
【図１】
2014068312.tif 000003
【図２】
2014068312.tif 000004
【図３】
2014068312.tif 000005
【図４】
2014068312.tif 000006
【図５】
2014068312.tif 000007
【図６】
2014068312.tif 000008
【図７】
2014068312.tif 000009
【図８】
2014068312.tif 000010
【図９】
2014068312.tif 000011
【図１０】
2014068312.tif 000012